(57)【特許請求の範囲】
【請求項１】
環境測定を行うセンサ部と、前記センサ部の測定データを無線通信によって送信する無線通信部と、太陽光パネルと、前記太陽光パネルの発電により前記センサ部及び前記無線通信部に動作電源を供給する電源部と、前記無線通信部及び前記太陽光パネルとに接続された制御部とを備え、
前記制御部が、前記太陽光パネルの受光量に応じて、前記無線通信部の送信頻度と前記センサ部の測定頻度とを決定するように構成され、
前記センサ部がセンサユニットの外郭を構成する筐体の外部に配置され、さらに、前記筐体の外部に前記センサ部を収容して保護する保護手段と、駆動により前記センサ部を前記保護手段に収容自在とする駆動機構とを備えていることを特徴とするセンサユニット。
【請求項２】
前記保護手段が下部に収容口を有する傘状に形成され、前記センサ部を紐状体と連結して前記筐体下方に釣支するとともに、前記駆動機構が前記紐状体を巻き取る巻取部を備え、前記巻取部により前記センサ部を昇降させて、前記収容口から前記保護手段に収容自在に構成されていることを特徴とする請求項１に記載のセンサユニット。
【請求項３】
前記制御部が前記太陽光パネルの受光量に応じて、前記センサ部を昇降させるように構成されていることを特徴とする請求項２に記載のセンサユニット。
【請求項４】
さらに、時刻を計時する計時部と、
所定の時刻が記憶された記憶部を備え、
前記制御部が、前記記憶部に記憶された所定の時刻に応じて、前記無線通信部の送信頻度と前記センサ部の測定頻度を増減するように構成され、
前記制御部が、前記記憶部に記憶された所定の時刻に応じて、前記センサ部を昇降させるように構成されていることを特徴とする請求項２または３に記載のセンサユニット。
【請求項５】
前記筐体下部に、前記センサ部の揺動方位及び揺動幅を検知する風向き検出手段が設けられ、前記風向き検出手段の検出結果に応じて、前記制御部が前記センサ部を昇降させるように構成されていることを特徴とする請求項４に記載のセンサユニット。
【請求項６】
さらに、前記センサ部の測定値の異常を報知する報知部を備えていることを特徴とする請求項１から５のいずれか１項に記載のセンサユニット。
【発明の詳細な説明】
【技術分野】
【０００１】
本発明は、例えば、栽培ハウス等に配設され、室内の温度、湿度、風力、照度、二酸化炭素濃度等の環境測定を行う自立式のセンサユニットに関するものである。
【背景技術】
【０００２】
この種のセンサユニットとして、例えば、特開２０１２−２１５４０３号公報（特許文献１）は、赤外線センサ部と、照度センサ部と、温度センサ部と、湿度センサ部と、アンテナと、無線通信部と、太陽電池を備えたものを提案している。
この構成によれば、太陽電池によってセンサユニット自体が発電能力を備えており、かつ、無線通信によって測定結果を送信できるため、設置場所の電源ケーブルや有線ＬＡＮ等の配線によらず自立して設置が可能である利点を有している。
また、この種のセンサユニットは、一般に、衝撃や汚れ等による故障を防止するため、箱状の筐体内に測定用のセンサが収容される。
【先行技術文献】
【特許文献】
【０００３】
【特許文献１】特開２０１２−２１５４０３号公報
【発明の概要】
【発明が解決しようとする課題】
【０００４】
しかしながら、特許文献１に記載のような自立式のセンサユニットは、太陽電池によって電力を得るため、太陽光の強度が弱く、太陽光パネルの受光量が低い状態が続くと、電力不足となり測定ができなくなるというおそれがあった。
【０００５】
また、箱状の筐体内に測定用のセンサを収容する場合には、一般に、筐体に通気孔を設け、筐体内に外気を取り込むことが必要である。しかし、筐体内では気流が生じにくく、また、測定用の貫通孔が設けられた位置と測定時の風向きによって、筐体内の気流が不均一になるため、測定精度が低下するという問題があった。
かかる問題は、測定用のセンサを筐体内に収容せず、そのまま露出して、測定をするようにすれば、測定精度が高くなり、解決することは可能であるが、測定用のセンサを筐体内に収容しない場合には、センサは水や汚れ等に弱いため、例えば、栽培ハウス内における農薬散布時の農薬付着等が原因で故障を招きやすいという問題があった。
【０００６】
したがって、本発明は、消費電力を抑えるとともに、測定用のセンサを筐体外に露出することによって、測定精度を向上させつつ、水や汚れ等による故障を防止することができる自立式のセンサユニットを提供することを目的とするものである。
【課題を解決するための手段】
【０００７】
本発明のかかる目的は、環境測定を行うセンサ部と、前記センサ部の測定データを無線通信によって送信する無線通信部と、太陽光パネルと、前記太陽光パネルの発電により前記センサ部及び前記無線通信部に動作電源を供給する電源部と、前記無線通信部及び前記太陽光パネルとに接続された制御部とを備え、前記制御部が、前記太陽光パネルの受光量に応じて、前記無線通信部の送信頻度と前記センサ部の測定頻度とを決定するように構成されたことを特徴とするセンサユニットによって達成される。
【０００８】
本発明によれば、制御手段が、太陽光パネルの受光量に応じて、無線通信部の送信頻度とセンサ部の測定頻度を決定するように構成されているところ、太陽光パネルの受光量は発電量に比例するため、発電量に応じて、無線通信部の送信頻度とセンサ部の測定頻度を決定することが可能となる。その結果、発電量に応じて、自立式センサユニットの消費電力を最適化することができるから、例えば、太陽光の光が弱く、太陽光パネルの受光量が低い状態が続いたとしても、無線通信部の送信頻度とセンサ部の測定頻度を減じることにより、消費電力を抑えることができ、センサユニットが電力不足となり、測定結果が得られないという事態を確実に防止することができる。
【０００９】
本発明の好ましい実施態様においては、センサユニットはさらに、時刻を計時する計時部と、所定の時刻が記憶された記憶部を備え、前記制御部が、前記記憶部に記憶された所定の時刻に応じて、前記無線通信部の送信頻度と前記センサ部の測定頻度を増減するように構成されている。
【００１０】
本発明のこの好ましい実施態様によれば、制御部は記憶部に記憶された所定の時刻に応じて、無線通信部の送信頻度と前記センサ部の測定頻度を増減するように構成されているので、時間帯に応じた送信頻度や測定頻度の管理が可能となり、その結果、例えば、夜間において、無線通信部の送信頻度とセンサ部の測定頻度を減じることができ、消費電力を抑えることが可能となるとともに、ユーザのニーズに応じて、無線通信部の送信頻度とセンサ部の測定頻度を決定できるため、センサユニットの利便性を向上させることが可能になる。
【００１１】
本発明のさらに好ましい実施態様においては、前記センサ部がセンサユニットの外郭を構成する筐体の外部に配置され、センサユニットがさらに、前記筐体の外部に前記センサ部を収容して保護する保護手段と、駆動により前記センサ部を前記保護手段に収容自在とする駆動機構とを備えている。
【００１２】
本発明のこの好ましい実施態様によれば、センサ部がセンサユニットの外郭を構成する筐体の外部に配置されているから、筐体内にセンサ部を収容する場合と比べ、測定精度を向上させることができる。センサユニットはさらに、センサ部を収容して保護する保護手段と、駆動によりセンサ部を保護手段に収容自在とする駆動機構とを備えているから、通常は、測定用のセンサを筐体外に露出して測定精度を向上し、必要時にセンサ部を保護手段に収容することで水や汚れ等による故障を防止できる。
【００１３】
本発明のさらに好ましい実施態様においては、前記保護手段が下部に収容口を有する傘状に形成され、前記センサ部を紐状体と連結して前記筐体下方に釣支するとともに、前記駆動機構が前記紐状体を巻き取る巻取部を備え、前記巻取部により前記センサ部を昇降させて、前記収容口から前記保護手段に収容自在に構成されている。
本発明のこの好ましい実施態様によれば、巻取部によってセンサ部を昇降させることによって、保護手段の下部の収容口から、センサ部を保護手段に容易に収容することができ、センサ部を保護手段に収容された状態と外部に露出する状態を迅速かつ簡便に切り替えることが可能になる。
【００１４】
本発明のさらに好ましい実施態様においては、前記制御部が前記太陽光パネルの受光量に応じて、前記センサ部を昇降させるように構成されている。
一般に栽培ハウス等の室内で環境測定を行う場合、太陽光の強度が強く、太陽光パネルの受光量が多いときには、農作物の呼吸が活性化し、また、温度上昇による室内に気流が発生しやすいため、測定値の変動が大きくなるから、センサ部の測定精度を高めることが望ましく、その一方で、太陽光の強度が弱く、太陽光パネルの受光量が少ないときには、測定値の変動が小さくなるため、センサ部の測定精度が多少低下してもセンサ部を保護手段により保護して故障を防止することが望ましい。
【００１５】
しかるに、本発明のこの好ましい実施態様によれば、太陽光パネルの受光量が大きく、二酸化炭素濃度等の環境測定にかかわる数値の変動が大きいときには、保護手段の外部にセンサ部を配置して測定精度を高め、一方、夜間や曇りのときのように、太陽光パネルの受光量が少なく、環境測定にかかわる数値の変動が小さいときには、保護手段の内部にセンサ部を収容することによって、センサ部の汚れ等を効率的に防止することができる。
【００１６】
本発明のさらに好ましい実施態様においては、前記制御部が、前記記憶部に記憶された所定の時刻に応じて、前記センサ部を昇降させるように構成されている。
【００１７】
本発明のこの好ましい実施態様によれば、所定の時刻に応じて、センサ部を昇降させることによって、時間帯に応じて、センサ部の測定精度を向上とセンサ部の保護を図ることができ、その結果、例えば、農作物の光合成が活発となる等の要因によって、二酸化炭素濃度等の環境測定にかかわる数値の変動が大きい日中は、保護手段の外部にセンサ部を配置して測定精度を高め、環境測定にかかわる数値の変動が小さい夜間には、保護手段の内部にセンサ部を収容して、センサ部の汚れ等を防止でき、さらには、農薬の散布を開始する時刻に、センサ部を保護手段に収容し、農薬の散布を終了する時刻に、センサ部を保護手段から露出することが可能となる。
【００１８】
本発明のさらに好ましい実施態様においては、前記筐体下部に、前記センサ部の揺動方位及び揺動幅を検知する風向き検出手段が設けられ、前記風向き検出手段の検出結果に応じて、前記制御部が前記センサ部を昇降させるように構成されている。
【００１９】
本発明のこの好ましい実施態様によれば、鉛直方向の軸に対するセンサ部の揺動方位及び揺動幅を検知することによって、風向きを効率的かつ簡便に検出することができ、風向き検出手段の検出結果に応じて、制御部がセンサ部を昇降させるように構成されているから、強風等によりセンサ部を保護する必要がある場合に、保護手段にセンサ部を収容して故障を防止することができる。
【００２０】
本発明のさらに好ましい実施態様においては、センサユニットが、さらに、前記センサ部の測定値の異常を報知する報知部を備えている。
【００２１】
本発明のこの好ましい実施態様によれば、使用者がセンサ部の故障等を原因とする測定値の異常を早期に発見することができ、センサユニットの利便性を向上させることができる。
【発明の効果】
【００２２】
本発明によれば、消費電力を抑えるとともに、測定用のセンサを筐体外に露出することによって、測定精度を向上させつつ、水や汚れ等による故障を防止することができる自立式のセンサユニットを提供することが可能になる。
【図面の簡単な説明】
【００２３】
【図１】図１は、本発明の好ましい実施態様にかかる自立式センサユニットの機能ブロック図である。
【図２】図２は、本発明の好ましい実施態様にかかる自立式センサユニットの略正面図である。
【図３】図３は、本発明の好ましい実施態様にかかる自立式センサユニットの制御部の基本動作を示すフローチャートである。
【図４】図４は、本発明の好ましい実施態様にかかる自立式センサユニットのセンサ部の昇降動作を示すフローチャートである。
【図５】本発明の好ましい実施態様にかかる自立式センサユニットに設けられた風向き検出手段の説明図である。
【発明を実施するための形態】
【００２４】
図１は、本発明の好ましい実施態様にかかる自立式センサユニットの機能ブロック図であり、図２は、本発明の好ましい実施態様にかかる自立式センサユニットの略正面図である。
図１に示されているように、本発明の好ましい実施態様にかかる自立式センサユニット１は、太陽光パネル１１と、バッテリー１２、制御部１３、センサ部１４、駆動機構１５、無線通信部１６、計時部１７および記憶部１８を備えている。
【００２５】
図２に示されるように、本実施態様にかかるセンサユニット１は、栽培ハウス等の室内の梁に吊下げるようにして配置される。センサユニット１の屋根部分には、太陽光パネル１１が設けられ、電子部品を保護するための箱状の筐体２１内部に、バッテリー１２、制御部１３、駆動機構１５、無線通信部１６、計時部１７、記憶部１８および報知部１９が収容されている。
【００２６】
太陽光パネル１１は、太陽光を受光することによって、発電し、センサユニット１に動作電力を供給するものである。
また、制御部１３は、太陽光パネル１１の発電による電圧値を取得し、当該電圧値から太陽光パネル１１の受光量を計算して取得する。
【００２７】
バッテリー１２は太陽光パネル１１に接続され、太陽光パネル１１の発電電力を充放電することにより、センサユニット１に動作電力を安定的に供給する役割を有している。したがって、太陽光パネル１１およびバッテリー１２が、センサユニット１に電力を供給する電源部となる。
【００２８】
太陽光パネル１１が配置されるセンサユニット１上部の屋根部分の形状は、太陽光パネル１１の受光量が高くなるように傾斜を有する逆椀状に形成する。
そして、当該屋根部分を囲むように太陽光パネル１１を配置することにより、日中に太陽が移動しても、太陽光パネルの受光量を一定に保つことができる。
【００２９】
制御部１３は、ＣＰＵ、ＲＯＭおよびＲＡＭを備えたマイクロコントローラである。
制御部１３は、太陽光パネル１１と、バッテリー１２と、センサ部１４と、駆動機構１５と、無線通信部１６と、計時部１７と、記憶部１８と、報知部１９と、光センサ２３とに接続されている。制御部１３は、ＲＡＭや記憶部１８に記憶されたプログラムを実行することにより、センサユニット１の駆動機構１５や報知部１９、光センサ２３等の各装置の動作を制御するものである。
【００３０】
センサ部１４は、環境測定にかかわる数値を検出するための測定用のセンサである。センサ部１４に、所定の検出素子を選択することによって、温度、湿度、風力、照度、二酸化炭素濃度等の種々の環境測定を行うことができる。
【００３１】
駆動機構１５は、正逆回転可能なモータを備えた巻取部１５ａを有し、この巻取部１５ａによって、紐状のナイロン等で形成され、先端部にセンサ部１４が取り付けられた紐状体２４を吊り下げて保持し、必要に応じて、紐状体２４を巻き上げ、巻きほぐして、センサ部１４を上下に昇降させるように構成されている。
【００３２】
無線通信部１６は、制御部１３から出力される各種検出信号を、無線通信媒体を介して、外部に送信する役割を有している。例えば、ＩＥＥＥ８０２．１１規格の無線ＬＡＮの方式で測定データを集計する端末装置と無線通信をする。有線ＬＡＮのインタフェースを用いることも可能であるが、センサユニット１の設置の利便性や、設置場所の作業性の観点から、無線通信媒体を用いることが好ましい。
【００３３】
計時部１７は、現在時刻を計測するものであり、例えば、ＧＰＳ時計によって構成されている。制御部１３には、計時部１７から現在時刻情報が入力されている。
【００３４】
記憶部１８は、各種情報を記憶するもので、例えば、ＲＡＭ、ＲＯＭ、フラッシュメモリ等を含んでいる。また、記憶部１８には、制御部１３が実行する各種プログラムが格納されている。
【００３５】
報知部１９は、測定値の異常等を使用者に報知するためのものであり、例えば、アラームやブザー等によって構成されている。報知部１９を設けることによって、測定値の異常等を使用者が迅速に把握でき、センサユニット１の利便性が向上させることができる。
【００３６】
筐体２１下部には、センサ部１４を保護するためのセンサ保護手段２２が設けられている。本実施態様においては、センサ部保護手段２２は、細かなメッシュ状のプラスチック樹脂によって形成され、下部に向かって広がる傘状の形状を有している。細かなメッシュ状に形成することにより通気性を向上し、センサ部保護手段２２にセンサ部１４を収容した場合の観測精度の低下を防止している。
【００３７】
センサ部保護手段２２は下端部に、センサ部１４を収容する収容口２２ａを備えている。
本実施態様においては、駆動装置１５を駆動することにより、収容口２２ａを通って、センサ部１４を昇降させ、センサ部保護手段２２内に位置させ、あるいは、センサ部保護手段２２外に位置させることができる。
【００３８】
図３は、本発明の好ましい実施態様にかかるセンサユニット１の制御部１３の基本動作を示すフローチャートである。
本実施態様においては、制御部１３は、計時部１７から入力された現在時刻に基づいて、無線通信部１６の送信頻度とセンサ部１４の測定頻度を決定するように構成されている。すなわち、夜間であれば、太陽光パネル１１の発電量が少ないため、センサユニット１の電力の消耗を抑えることが望ましく、加えて、栽培ハウス等の室内の二酸化炭素等の環境測定にかかわる数値は、一般に夜間は変動が少ないから、夜間は、センサユニット１の環境測定データの送信頻度と測定頻度を減少するように制御されている。
【００３９】
具体的には、センサユニット１の環境測定データの送信頻度と測定頻度を減少させる制御（以下、夜間制御という。）を実行する夜間の時間（例えば、１８時〜５時）を、記憶部１８に予め記憶させ、計時部１７から入力された現在時刻に基づいて、制御部１３は夜間制御すべき時刻か否かを判定し（ステップＳ３１）、夜間制御をすべき時刻であると判定したときは、センサユニット１の環境測定データの送信頻度と測定頻度を減少するように制御する（ステップＳ３２及びステップＳ３４）。
【００４０】
制御部１３は、記憶部１８に記憶された夜間の時間と計時部１７の現在時刻を基に夜間か否かを判断し（ステップＳ３１）、夜間であれば、例えば、通常のセンサユニット１の環境測定データの送信頻度と測定頻度が１分に１回であったとすると、午後７時以降を夜間と判断し、１時間に１回とするように、センサユニット１の環境測定データの送信頻度と測定頻度を減少させる（ステップＳ３５）。
このように制御することによって、太陽光パネル１１の発電量の少ない夜間における電力の消耗を抑え、センサユニット１が電力不足となる事態を効率的に防止することができる。
【００４１】
また、夜間のみならず、日中においても、太陽光パネル１１の受光量すなわち発電量に応じて、センサユニット１の電力の消耗を抑えることが望ましい。
そこで、本実施態様においては、制御部１３が、太陽光パネル１１の電圧などを参照して、太陽光パネル１１の受光量を取得し、受光量に応じて無線通信部１６の送信頻度とセンサ部１４の測定頻度を決定するように制御されている。
【００４２】
すなわち、制御部１３は、太陽光パネル１１の受光量を取得して、太陽光パネル１１の受光量が所定値未満か否かを判断し（ステップＳ３２）、所定値未満の場合には、センサユニット１の環境測定データの送信頻度と測定頻度を通常よりも減少するように制御する（ステップＳ３４）。
【００４３】
具体的には、通常の送信頻度と測定頻度が１分に１回であったとすると、制御部１３は、太陽光パネル１１の受光量が下がるごとに１０分に１回、３０分に１回、１時間に１回というように送信頻度と測定頻度を下げるように、無線通信部１６を制御することが考えられる。このように制御することによって、太陽光パネル１１の発電量が少ないときに電気の消耗を効率的に抑えることができ、センサユニット１が電力不足となる事態を防止できる。
【００４４】
本実施態様においては、夜間や農薬散布時間等の特定時刻に、センサ部１４をセンサ部保護手段２２に収容して保護するように構成されている。
具体的には、制御部１３は、計時部１７から現在時刻を取得し、記憶部１８に予め設定されて、記憶された時刻に応じて、駆動機構１５を駆動し、特定時刻にセンサ部保護手段２２にセンサ部１４を収容させる。例えば、センサユニット１を栽培ハウス室内で使用する場合、夜間は環境測定にかかる値の変化が少ないため、センサ部１４を収納して、センサ部１４を保護するようにし、また、農薬散布時刻をあらかじめ記憶部１８に記憶しておくことにより、農薬散布の際に、センサ部１４をセンサ部保護手段２２内に収容して、センサ部１４を農薬から保護するように、駆動機構１５を駆動させる。このように構成することによって、通常時は、センサ部１４を露出して、測定精度を高め、必要に応じて、センサ部１４を保護して故障を防止することができる。
【００４５】
図５は、本発明の好ましい実施態様にかかるセンサユニット１に用いられる風向き検出手段の動作を説明する図面である。
本実施態様においては、風向き検出手段は、風圧によるセンサ部１４の揺動を利用して、風向きと風力を検出するように構成されている。
詳細には、筐体２１の下部に、フォトダイオードやフォトカプラなどの光センサ２３を配置し、光センサ２３により、鉛直方向の軸に対するセンサ部１４の揺動方位と揺動幅Ｈを検出する。これにより、制御部１３が、センサ部１４の揺動方位によって風向きを、揺動幅Ｈによって風力を取得できる。揺動幅Ｈはセンサ部１４が受けた風力と比例するためである。この構成によれば、センサ部１４によって風向きと風力を観測する際に、制御部センサ保護手段２２や筐体２１等の影響を受けず観測が可能となる。加えて、取得した風向きと風力によって、制御部１４は、種々の制御が可能となる。
【００４６】
制御部１３は、センサ部１４の揺動幅Ｈが所定幅Ｈ０より大きい場合には、風力が大きいと判定し、センサ部１４をセンサ部保護手段２２に収容する（ステップＳ４３）。このように構成することによって、風力が大きいときに、センサ部１４が、強風によってセンサ保護手段２２や筐体２１と衝突して、損傷することを効果的に防止することができる。
【００４７】
本発明は、以上の実施態様に限定されることなく、特許請求の範囲に記載された発明の範囲内で種々の変更が可能であり、それらも本発明の範囲内に包含されるものであることはいうまでもない。
【００４８】
例えば、前記実施態様においては、センサ部保護手段２２は傘状をなしているが、センサ部保護手段２２が傘状をなしているということは必ずしも必要でなく、袋状や円筒状など、種々の形状のセンサ部保護手段２２を用いることができる。
【００４９】
また、前記実施態様においては、センサ部保護手段２２は細かなメッシュ状のプラスチック樹脂によって形成されているが、センサ部１４をセンサ部保護手段２２に収容したときに測定精度の観点から、センサ部保護手段２２は通気性を有していればよく、細かなメッシュ状のプラスチック樹脂ではなく、穴があいたプラスチック樹脂によって形成することもできる。
【００５０】
さらに、前記実施態様においては、センサ部保護手段２２がプラスチック樹脂によって形成されているが、センサ部保護手段２２をプラスチック樹脂によって形成することは必ずしも必要でなく、ゴムなどを用いて、センサ部保護手段２２を形成することもできる。
【００５１】
また、前記実施態様においては、制御部１３は、記憶部１８に記憶された夜間の時間と計時部１７の現在時刻を基に夜間か否かを判断し、夜間であれば、センサユニット１の環境測定データの送信頻度と測定頻度を減少させるように制御されているが、記憶部１８に日付、日の出、日の入り時間を紐づけて記憶させ、その情報に基づき、送信頻度と測定頻度を細かく決定してもよい。送信頻度と測定頻度を細かく決定することにより、更に効率的に電力の消耗を抑えることが可能になる。
【００５２】
さらに、前記実施態様においては、制御部１３は、太陽光パネル１１の受光量を取得して、太陽光パネル１１の受光量が所定値未満か否かを判断し、所定値未満の場合には、センサユニット１の環境測定データの送信頻度と測定頻度を通常よりも減少するように制御しているが、複数の閾値を設けて、送信頻度と測定頻度を段階的に減少させるようにしてもよい。
【００５３】
また、前記実施態様においては、制御部１３は、太陽光パネル１１の受光量が下がるごとに１０分に１回、３０分に１回、１時間に１回という割合で、送信頻度と測定頻度を下げるように無線通信部１６を制御しているが、太陽光パネル１１の受光量が、所定の閾値以上の場合に、送信頻度と測定頻度を通常よりも増加させるように、無線通信部１６を制御してもよい。このように、無線通信部１６を制御する場合には、電力不足のおそれが少ない場合に、測定データを詳細に取得可能となり、センサユニット１の利便性を向上させることができる。
【００５４】
さらに、前記実施態様においては、夜間や農薬散布時間等の特定時刻に、センサ部１４をセンサ部保護手段２２に収容して保護するように構成されているが、センサユニット１に人感センサを設け、人感センサが人を検知すると、センサ部１４をセンサ部保護手段２２に収容するようにしてもよい。人が近づいたことを人感センサが人を検知したときに、センサ部１４をセンサ部保護手段２２に収容することにより、農薬散布等の作業時に好適にセンサ部１４の故障を防止することができる。
【００５５】
さらに前記実施態様においては、制御部１３は、センサ部１４の揺動幅Ｈが所定幅Ｈ０より大きい場合には、風力が大きいと判定し、センサ部１４をセンサ部保護手段２２に収容するように構成されているが、風力が大きいときは、センサユニット１の環境測定データの送信頻度と測定頻度を減少するように制御してもよい。これは、風力が大きい場合には正確な測定値が得られないおそれがあるため、このように制御することで、不正確な測定値を得ることを防止するとともに、消費電力を抑えることが可能となるためである。
【符号の説明】
【００５６】
１  センサユニット
１１  太陽光パネル
１２  バッテリー
１３  制御部
１４  センサ部
１５  駆動機構
１５ａ  巻取部
１６  無線通信部
１７  計時部
１８  記憶部
１９  報知部
２１  筐体
２２  センサ部保護手段
２２ａ  収容口
２３  光センサ
２４  紐状体
【図１】
0006635593.tif 000002
【図２】
0006635593.tif 000003
【図３】
0006635593.tif 000004
【図４】
0006635593.tif 000005
【図５】
0006635593.tif 000006